(57)【特許請求の範囲】
【請求項１】
内部を第１吸気通路が貫通して穿設され、該第１吸気通路が第１絞り弁によって開閉される第１スロットルボデーと、内部を第２吸気通路が貫通して穿設され、該第２吸気通路が第２絞り弁によって開閉される第２スロットルボデーと、が互いに隣設して配置され、弁体駆動機構によって動作される単一のプランジャー弁によって制御されるアイドル空気が、第１バイパス空気通路を介して第１絞り弁より下流側の吸気通路に供給されるとともに第２バイパス空気通路を介して第２絞り弁より下流側の吸気通路に供給される多連スロットルボデーにおけるアイドル空気制御装置において、
アイドル空気制御装置Ｓは、制御装置本体１に穿設される弁体摺動孔２の上側壁２ａに、第１空気制御孔５と第２空気制御孔６とを開口するとともに下側壁２ｂに、第１空気孔９と第２空気孔１０とを開口し、前記第１空気制御孔、第２空気制御孔６が、弁体摺動孔２内に移動自在に配置され、弁体駆動機構１３によって動作されるプランジャー弁Ｖにて開閉制御され、
前記アイドル空気制御装置を、隣設する第１スロットルボデーＴ１の対向面を形成する一側壁面１７と、第２スロットルボデーＴ２の対向面を形成する他側壁面２６との間に挟持して固定配置し、
第１絞り弁１６より下流側の吸気通路１４ａに連なる第１バイパス空気通路１８を、第１スロットルボデーＴ１の一側壁面１７を介して第１空気制御孔５に連絡し、第２絞り弁２５より下流側の吸気通路２３ａに連なる第２バイパス空気通路２７を、第２スロットルボデーＴ２の他側壁面２６を介して第２空気制御孔６に連絡し、
更に第１絞り弁１６より上流側の吸気通路１４ｂに連なる第１空気導入路１９を、第１スロットルボデーＴ１の一側壁面１７を介して第１空気孔９に連絡し、第２絞り弁２５より上流側の吸気通路２３ｂに連なる第２空気導入路２８を、第２スロットルボデーＴ２の他側壁面２６を介して第２空気孔１０に連絡したことを特徴とする多連スロットルボデーにおけるアイドル空気制御装置。
【請求項２】
前記制御装置本体に、弁体摺動孔２の他側にあって平坦状をなす他側取付け壁面３と、弁体収納孔２の一側にあって平坦状をなす一側取付け端面４が形成され、
前記第１空気制御孔５を、他側取付け壁面３に凹設される第１連絡溝７に開口するとともに第１空気孔９を他側取付け壁面３に開口配置し、
一方、第２空気制御孔６を一側取付け壁面４に凹設される第２連絡溝８に開口するとともに第２空気孔１０を一側取付け壁面４に開口配置し、
第１スロットルボデーＴ１の一側壁面１７に開口する、第１空気導入路１９を前記他側取付け壁面３に開口する第１空気孔９に連絡するとともに第１バイパス空気通路１８を前記他側取付け壁面に開口する第１連絡溝７を介して第１空気制御孔５に連絡し、
第２スロットルボデーＴ２の他側壁面２６に開口する、第２空気導入路２８を前記一側取付け壁面４に開口する第２空気孔１０に連絡するとともに第２バイパス空気通路２７を前記一側取付け壁面４に開口する第２連絡溝８を介して第２空気制御孔６に連絡したことを特徴とする請求項１記載の多連スロットルボデーにおけるアイドル空気制御装置。
【請求項３】
前記、制御装置本体の他側取付け壁面３に、第１空気制御孔５を含む第１連絡溝７の開口と第１空気孔９の開口との連通を遮断する第１シール部材１１を配置するとともに一側取付け壁面４に、第２空気制御孔６を含む第２連絡溝８の開口と、第２空気孔１０の開口との連通を遮断する第２シール部材４を配置したことを特徴とする請求項２記載の多連スロットルボデーにおけるアイドル空気制御装置。
【請求項４】
前記、第１連絡溝、第２連絡溝８の溝幅Ｗを、第１空気制御孔５、第２空気制御孔６の孔径（φ１）及び第１バイパス空気通路１８、第２バイパス空気通路２７の孔径より大としたことを特徴とする請求項２記載の多連スロットルボデーにおけるアイドル空気制御装置。
【発明の詳細な説明】
【技術分野】
【０００１】
本発明は、絞り弁より下流側の吸気通路にバイパス空気通路を介してアイドル空気を供給するアイドル空気制御装置に関するもので、そのうち特に、単一のプランジャー弁によって制御されたバイパス空気を隣設する複数のスロットルボデーの各絞り弁より下流側の吸気通路にそれぞれのバイパス空気通路を介して供給する多連スロットルボデーにおけるアイドル空気制御装置に関する。
【背景技術】
【０００２】
複数の吸気通路を備え、単一のプランジャー弁によって制御されたバイパス空気を、複数のバイパス空気通路を介して各吸気通路の絞り弁より下流側の吸気通路へ供給するアイドル空気制御装置の第１例は特開２００４−２１１６１２号公報の図３に示される。
尚、名称、符号は同公報で使用されるものを用いて説明する。
スロットルボデー１に一体形成された摺動弁案内筒７の側壁７Ｂには絞り弁軸３の長手方向に沿う上流側、第１のアイドル空気分配路１０Ａと、絞り弁軸３の長手方向に沿う上流側第２のアイドル空気分配路１１Ａとが開口し、第１の吸気通路２Ａの長手方向に沿う下流側第１のアイドル空気分配路１０Ｂが、上流側第１のアイドル空気分配路１０Ａより分岐し、この下流側第１のアイドル空気分配路１０Ｂが絞り弁４より下流側の第１の吸気通路２Ａに開口する。又第２の吸気通路２Ｂの長手方向に沿う下流側第２のアイドル空気分配路１１Ｂが、上流側第２のアイドル空気分配路１１Ａより分岐し、この下流側第２のアイドル空気分配路１１Ｂが絞り弁４より下流側の第２の吸気通路２Ｂに開口する。尚、摺動弁案内筒７の底部７Ａにはアイドル空気導入路９が開口する。
而して、摺動弁案内筒７内に配置された弁体１４が、摺動弁案内筒７に開口する上流側第１のアイドル空気分配路１０Ａ及び上流側第２のアイドル空気分配路１１Ａの開口を制御することによりアイドル空気が制御され、このアイドル空気が、下流側第１のアイドル空気分配路１０Ｂより絞り弁４より下流側の第１の吸気通路２Ａに供給されるとともに下流側第２のアイドル空気分配路１１Ｂより絞り弁４より下流側の第２の吸気通路２Ｂに供給される。
【０００３】
又、アイドル空気制御装置の第２例は、前記公報の図６に示される。
これによると、スロットルボデーと別体に形成されたコントロールケース５５内に摺動弁案内筒５５Ｂが穿設され、摺動弁案内筒５５Ｂの底部５５Ｃにはアイドル空気導入路５６が開口し、摺動弁案内筒５５Ｄの側壁５５Ｄには、第１のアイドル空気分配路５７と第２のアイドル空気分配路５８とが開口する。
そして、第１のアイドル空気分配路５７の下流側は第１分配路６１を介して第１の吸気通路５１Ｂに連絡され、第２のアイドル空気分配路５８の下流側は、第２分配路６２を介して第２の吸気通路５１Ａに接続される。
而して、摺動弁案内筒５５Ｂ内に配置された弁体６０が、摺動弁案内筒５５Ｂ内に開口する第１のアイドル空気分配路５７、第２のアイドル空気分配路５８の開口を制御することによりアイドル空気が制御され、このアイドル空気が第１分配路６１を介して第１の吸気通路５１Ｂに供給され、第２分配路６２を介して第２の吸気通路５１Ａに供給される。
【特許文献１】特開２００４−２１１６１２号公報
【発明の開示】
【発明が解決しようとする課題】
【０００４】
かかる従来のアイドル空気制御装置の第１例によると、スロットルボデーに、上流側第１、第２のアイドル空気分配路及び下流側第１、第２のアイドル空気分配路の全ての空気通路が穿設されるものであり、これによるとスロットルボデー内における通路設計の自由度が少なく通路設計に多くの時間が必要とされる。
又、各通路の通路長さを短縮することが困難で、加工長さが長くなるとともにスロットルボデーに前記空気通路を加工する際、鋳巣からの洩れの検査工程が必要となる。
更に上流側第１及び第２のアイドル空気分配路の端部には該分配路の開口を閉塞するプラグを必要とする。
又、従来のアイドル空気制御装置の第２例によると、第１分配路、第２分配路はゴムパイプ等のパイプ材によって形成され、それらの一端をコントロールケースのジョイントに接続し、他端をスロットルボデーのジョイントに接続する必要があり、これによると、パイプの接続作業に多くの工数がかかるとともにパイプの外方に露出して配置されることになり、特にスロットルボデーが外気に露出して配置され且つ収納空間がせまく限定される二輪車において、外観性が損なわれるとともにパイプの引き回しが困難である。
【０００５】
本発明になる多連スロットルボデーにおけるアイドル空気制御装置は、上記不具合に鑑み成されたものでその目的とするところは、アイドル空気制御装置を構成する全ての空気通路の通路設計が容易で、且つ通路の形成を安価に行なうことができ、更にメンテナンス性の優れた上記装置を提供することにある。
【課題を解決するための手段】
【０００６】
本発明になる多連スロットルボデーにおけるアイドル空気制御装置は、前記目的を達成するために、内部を第１吸気通路が貫通して穿設され、該第１吸気通路が第１絞り弁によって開閉される第１スロットルボデーと、内部を第２吸気通路が貫通して穿設され、該第２吸気通路が第２絞り弁によって開閉される第２スロットルボデーと、が互いに隣設して配置され、弁体駆動機構によって動作される単一のプランジャー弁によって制御されるアイドル空気が、第１バイパス空気通路を介して第１絞り弁より下流側の吸気通路に供給されるとともに第２バイパス空気通路を介して第２絞り弁より下流側の吸気通路に供給される多連スロットルボデーにおけるアイドル空気制御装置において、
アイドル空気制御装置は、制御装置本体に穿設される弁体摺動孔の上側壁に、第１空気制御孔と第２空気制御孔とを開口するとともに下側壁に、第１空気孔と第２空気孔とを開口し、前記第１空気制御孔、第２空気制御孔が、弁体摺動孔内に移動自在に配置され、弁体駆動機構によって動作されるプランジャー弁にて開閉制御され、
前記アイドル空気制御装置を、隣設する第１スロットルボデーの対向面を形成する一側壁面と、第２スロットルボデーの対向面を形成する他側壁面との間に挟持して固定配置し、
第１絞り弁より下流側の吸気通路に連なる第１バイパス空気通路を、第１スロットルボデーの一側壁面を介して第１空気制御孔に連絡し、第２絞り弁より下流側の吸気通路に連なる第２バイパス空気通路を、第２スロットルボデーの他側壁面を介して第２空気制御孔に連絡し、
更に第１絞り弁より上流側の吸気通路に連なる第１空気導入路を、第１スロットルボデーの一側壁面を介して第１空気孔に連絡し、第２絞り弁より上流側の吸気通路に連なる第２空気導入路を、第２スロットルボデーの他側壁面を介して第２空気孔に連絡したことを第１の特徴とする。
【０００７】
又、本発明は、前記第１の特徴に加え、前記制御装置本体に、弁体摺動孔の他側にあって平坦状をなす他側取付け壁面と、弁体収納孔の一側にあって平坦状をなす一側取付け端面が形成され、
前記、第１空気制御孔を、他側取付け壁面に凹設される第１連絡溝に開口するとともに第１空気孔を他側取付け壁面に開口配置し、
一方、第２空気制御孔を一側取付け壁面に凹設される第２連絡溝に開口するとともに第２空気孔を一側取付け壁面に開口配置し、
第１スロットルボデーの一側壁面に開口する、第１空気導入路を前記他側取付け壁面に開口する第１空気孔に連絡するとともに第１バイパス空気通路を前記他側取付け壁面に開口する第１連絡溝を介して第１空気制御孔に連絡し、
第２スロットルボデーの他側壁面に開口する、第２空気導入路を前記一側取付け壁面に開口する第２空気孔に連絡するとともに第２バイパス空気通路を前記一側取付け壁面に開口する第２連絡溝を介して第２空気制御孔に連絡したことを第２の特徴とする。
【０００８】
更に本発明は、前記第２の特徴に加え、前記、制御装置本体の他側取付け壁面に、第１空気制御孔を含む第１連絡溝の開口と第１空気孔の開口との連通を遮断する第１シール部材を配置するとともに一側取付け壁面に第２空気制御孔を含む第２連絡溝の開口と、第２空気孔の開口との連通を遮断する第２シール部材を配置したことを第３の特徴とする。
【０００９】
更に又、本発明は、前記第２の特徴に加え、前記、第１連絡溝、第２連絡溝の溝幅を、第１空気制御孔、第２空気制御孔の孔径及び第１バイパス空気通路、第２バイパス空気通路の孔径より大としたことを第４の特徴とする。
【発明の効果】
【００１０】
本発明の第１の特徴によると、制御装置本体に、プランジャー弁が移動自在に配置される弁体摺動孔が穿設され、弁体摺動孔の上側壁に第１空気制御孔と第２空気制御孔とが開口し、その下側壁に第１空気孔と第２空気孔とが開口して穿設される。
かかる制御装置本体は、隣設する第１スロットルボデーの一側壁面と第２スロットルボデーの他側壁面との間に挟持されて固定されるもので、かかる状態において、第１スロットルボデーに穿設される第１バイパス空気通路が第１スロットルボデーの一側壁面を介して制御装置本体の第１空気制御孔に連絡され、第２スロットルボデーに穿設される第２バイパス空気通路が第２スロットルボデーの他側壁面を介して制御装置本体の第２空気制御孔に連絡される。
又、第１スロットルボデーに穿設される第１空気導入路が第１スロットルボデーの一側壁面を介して制御装置本体の第１空気孔に連絡され、第２スロットルボデーに穿設される第２空気導入路が第２スロットルボデーの他側壁面を介して制御装置本体の第２空気孔に連絡される。
以上によると、制御装置本体に、弁体摺動孔内に開口する第１空気制御孔、第２空気制御孔、第１空気孔、第２空気孔が穿設され、又、第１スロットルボデーに第１空気導入路、第１バイパス空気通路が穿設され、更に、第２スロットルボデーに第２空気導入路、第２バイパス空気通路が穿設されたので、アイドル空気制御装置を構成する全ての空気路の通路長さを短くできたもので、これによって、前記空気通路の通路設計の自由度を大きく向上できるとともに空気通路の形成（機械加工あるいは鋳抜き形成による）を極めて安価に行なうことができる。
又、アイドル空気制御装置が隣設する第１スロットルボデーの一側壁面と、第２スロットルボデーの他側壁面との間に挟持されて固定配置されたことによると、隣設するスロットルボデーの対向面間の空間部を有効活用でき、アイドル空気制御装置を含む多連スロットルボデーをコンパクトにまとめることができる。
又、前記によれば、アイドル空気制御装置を構成する全ての空気通路がスロットルボデー及び制御装置本体、の内部に形成され、一切のパイプ接続が不要となったので、外観をスッキリまとめることができ、特に二輪車の如く、収納空間が限定され、且つスロットルボデーが直接外気に露出するものにおいて好ましい。
更に、制御装置本体は隣設するスロットルボデーの一側壁面、他側壁面より取外すことができるもので、これによると、制御装置本体におけるプランジャー弁、第１、第２空気制御孔、第１、第２空気孔、更には第１、第２スロットルボデーにおける第１、第２バイパス空気通路、第１、第２空気導入路のメンテナンス性を大きく向上できる。
更に又、本制御装置本体は、例えば艤装の異なる多種類の多連スロットルボデーに対しても共通して採用することができるもので、これによると制御装置本体の生産数を増加することができ、その製造コストを低減できる。
【００１１】
又、本発明の第２の特徴によると、制御装置本体の他側取付け壁面に、第１空気孔と第１連絡溝とを開口配置し、第１空気制御孔を第１連絡溝に開口したこと。又、制御装置本体の一側取付け壁面に、第２空気孔と第２連絡溝とを開口配置し、第２空気制御孔を第２連絡溝に開口したこと。更に第１スロットルボデーの一側壁面に第１空気導入路と第１バイパス空気通路を開口したこと。更に又、第２スロットルボデーの他側壁面に、第２空気導入路と第２バイパス空気通路を開口したこと。により前記全ての空気通路の通路長さを短く形成できたもので、これによって空気通路の通路設計が容易で且つ通路加工時間を短縮できる。
又、制御装置本体を第１、第２スロットルボデーから取外した際、第１、第２空気導入路、第１、第２バイパス空気通路、第１、第２空気孔、第１、第２空気制御孔、の両端が開口されるので、特に前記通路、孔のメンテナンスを良好に行なうことができる。
又、前記全ての通路の両端は開口され、ボールプラグ等により通路の一端を閉塞する必要がないので通路形成を容易に行なうことができる。
更に前記全ての通路はその通路長さが短く、且つ直線状に形成することができ、これによると、通路設計、通路加工を極めて容易に行なうことができるとともに特にスロットルボデー、制御装置本体を射出成形する際、前記直線状の通路を鋳抜き形成することができる。
更に又、かかるアイドル空気制御装置を異なったスロットルボデーに使用する際、スロットルボデーに穿設されるバイパス空気通路及び空気導入路の各壁面への開口位置を一定とすることにより制御装置本体を共通に使用することができるもので汎用性の高いアイドル空気制御装置を提供できる。
【００１２】
更に本発明の第３の特徴によると、第１空気制御孔を含む第１連絡溝の開口と、第１空気孔の開口と、が他側取付け壁面に配置される第１シール部材にて遮断され、第２空気制御孔を含む第２連絡溝の開口と第２空気孔の開口と、が一側取付け壁面に配置される第２シール部材によって遮断される。以上によると第１空気孔の空気が第１連絡溝に流入することがなく、又第１空気制御孔の空気が第１連絡溝を介して第１空気孔へ洩れることがないので、第１空気制御孔によって制御されたアイドル空気を確実に第１バイパス空気通路へ供給できる。又同様に第２空気制御孔によって制御されたアイドル空気を確実に第２バイパス空気通路へ供給できる。
【００１３】
更に又本発明の第４の特徴によると、第１空気制御孔、第１バイパス空気通路は、それらの孔径、通路径より大なる溝幅を有する第１連絡溝に臨んで開口配置され、第２空気制御孔、第２バイパス空気通路は、それらの孔径、通路径より大なる溝幅を有する第２連絡溝に臨んで開口配置される。
以上によると、第１、第２空気制御孔にあっては、その孔径及び弁体摺動孔の長手方向における開口位置、の変更を連絡溝の溝幅の範囲内において、容易に行なうことができ、アイドル空気量の制御、及びプランジャー弁の移動に対する供給開始時期の設定を容易に調整できる。
又、第１、第２バイパス空気通路にあっては、スロットルボデーの一側壁面、他側壁面に対する開口位置を連絡溝の溝幅の範囲内において変更することができ、これによって多種類のスロットルボデーに対して制御装置本体の適合性を向上できる。
【発明を実施するための最良の形態】
【００１４】
以下、本発明になる多連スロットルボデーにおけるアイドル空気制御装置の一実施例について図により説明する。
アイドル空気制御装置Ｓは以下によって形成される。
図１から図４によって説明する。図１はアイドル空気制御装置の要部縦断面図。
図２は図１の上部平面図。図３は図１の左側面図。図４は図１の右側面図である。
尚、以後の説明において、理解を高める為に他側Ａとは図において左方をいい、一側Ｂとは図において右方をいうものである。
１は、制御装置本体であり、上端１ａから下方に向けて弁体駆動機構挿入孔１ｄと弁体摺動孔２とが連設される。
制御装置本体１の他側Ａには、平坦状をなす他側取付け壁面３が形成され、一側Ｂには平坦状をなす一側取付け壁面４が形成される。
そして、弁体摺動弁２の上側壁２ａには、他側取付け壁面３に向けて第１空気制御孔５が穿設されるとともに一側取付け壁面４に向けて第２空気制御孔６が穿設される。
尚、前記第１空気制御孔５は、他側取付け壁面３に凹設され、所望の方向に向けて形成される第１連絡溝７の底部に開口される。
又、第２空気制御孔６は一側取付け壁面４に凹設され、所望の方向に向けて形成される第２連絡溝８の底部に開口される。
尚、本実施例において、第１、第２連絡溝７、８は弁体摺動孔２の長手軸心線に直交する方向に凹設された。（尚、第１、第２連絡溝７、８の凹設位置は前記に限定されるものでない。）
又、前記、第１、第２連絡溝７、８の溝幅Ｗは、第１、第２空気制御孔５、６の孔径（φ１）より大径であることが好ましい。
更に、弁体摺動孔２の下側壁２ｂには他側取付け壁面３に向けて第１空気孔９が穿設されるとともに一側取付け壁面４に向けて第２空気孔１０が穿設される。
以上をまとめてみると、弁体摺動孔２には、その上側壁２ａに第１、第２空気制御孔７、８が開口し、下側壁２ｂには第１、第２空気孔９、１０が開口する。又他側取付け壁面３には、第１空気制御孔５が第１連絡溝７を介して開口するとともに第１空気孔９が開口し、一側取付け壁面４には、第２空気制御孔６が第２連絡溝８を介して開口するとともに第２空気孔１０が開口する。
更に他側取付け壁面３には、第１空気孔９と第１空気制御孔５を含む第１連絡溝７との連通を遮断するＯリング、角リング等の第１シール部材１１が配置され、一側取付け壁面４には、第２空気孔１０と第２空気制御孔１０を含む第２連絡溝８との連通を遮断するＯリング、角リング等の第２シール部材１２が配置される。
図３、図４において、前記第１、第２シール部材１１、１２は省略された。
尚、１ｂは制御装置本体１の底部から下方に向けて突出形成された取付け鍔部であり、側方に取付け孔１ｃが貫通して穿設された。又、１ｅは他側取付け壁面３に穿設された第１位置決め孔であり、１ｆは一側取付け壁面４に穿設された第２位置決め孔である。
そして、制御装置本体１の上端１ａからステッピングモータ、ワックス体等よりなる弁体駆動機構１３が弁体駆動機構挿入孔１ｄ内に挿入されて固定配置され、弁体駆動機構１３に一体的に取着され、弁体駆動機構によって動作されるプランジャー弁Ｖが弁体摺動孔２内に移動自在に配置され、以上をもってアイドル空気制御装置Ｓが形成される。
【００１５】
次に多連スロットルボデーと構成する第１スロットルボデー、第２スロットルボデーの要部について説明する。
図５は第１スロットルボデーＴ１の縦断面図。（図６のＣ−Ｃ線における縦断面図に相当）図６は第１スロットルボデーＴ１の右側面図。
第１スロットルボデーＴ１は、内部を第１吸気通路１４が貫通して穿設され、該吸気通路は第１吸気通路１４を横断する第１絞り弁軸１５に取着された第１絞り弁１６によって開閉される。
又、第１スロットルボデーＴ１の一側Ｂには、平坦状をなす一側壁面１７が形成されるもので、この一側壁面１７は制御装置本体１の他側取付け壁面３の形状と同形状が好ましい。
そして前記一側壁面１７には第１絞り弁１６より下流側の吸気通路１４ａに向かう第１バイパス空気通路１８が穿設されるとともに第１絞り弁１６より上流側の吸気通路１４ｂに向かう第１空気導入路１９が穿設される。
又、一側壁面１７には、第１位置決めピン２０が突設される。
尚、２１は、一側Ｂに向けて突出形成された第１取付けボスであり、内部に第１取付け孔２２が貫通して穿設される。
【００１６】
図７は第２スロットルボデーＴ２の縦断面図。（図８のＤ−Ｄ線における縦断面図に相当）図８は第２スロットルボデーＴ２の左側面図。
第２スロットルボデーＴ２は、内部を第２吸気通路２３が貫通して穿設され、該吸気通路は第２吸気通路２３を横断する第２絞り弁軸２４に取着された第２絞り弁２５によって開閉される。
又、第２スロットルボデーＴ２の他側Ａには、平坦状をなす他側壁面２６が形成されるもので、この他側壁面２６は制御装置本体１の一側取付け壁面４の形状と同形状が好ましい。
そして前記他側壁面２６には第２絞り弁２５より下流側の吸気通路２３ａに向かう第２バイパス空気通路２７が穿設されるとともに第２絞り弁２５より上流側の吸気通路２３ｂに向かう第２空気導入路２８が穿設される。
又、他側壁面２６には、第２位置決めピン２９が突設される。
尚、３０は、他側Ａに向けて突出形成された第２取付けボスであり、内部に第２取付け孔３１が貫通して穿設される。
【００１７】
上記各構成に基き多連スロットルボデーにおけるアイドル空気制御装置は以下によって形成される。
第１スロットルボデーＴ１の一側壁面１７と第２スロットルボデーＴ２の他側壁面２６とが対向配置され、この対向する壁面１７、２６の間にアイドル空気制御装置Ｓの制御装置本体１が配置され、かかる状態において、制御装置本体１が両スロットルボデーＴ１、Ｔ２の対向する壁面１７、２６の間に固定配置される。
すなわち、第１スロットルボデーＴ１の一側壁面１７に制御装置本体１の他側取付け壁面３が当接配置されるとともに第１位置決めピン２０が第１位置決め孔１ｅに挿入され、一方、第２スロットルボデーＴ２の他側壁面２６に制御装置本体１の一側取付け壁面４が当接配置されるとともに第２位置決めピン２９が第２位置決め孔１ｆ内に挿入される。
一方、第１スロットルボデーＴ１の第１取付けボス２１が第１カラー３３を介して制御装置本体１の取付け鍔部１ｂの他側面１ｂ１に当接配置され、第２スロットルボデーＴ２の第２取付けボス３０が第２カラー３４を介して取付け鍔部１ｂの一側面１ｂ２に当接配置され、かかる状態において、第１取付けボス２１の第１取付け孔２２、第１カラー３３、取付け孔１ｃ、第２カラー３４、第２取付けボス３０の第２取付け孔３１、内にボルト３５が挿通配置され、ボルト３５の端部がナット３６によって螺着されることにより、第１スロットルボデーＴ１と第２スロットルボデーＴ２との間に制御装置本体１が螺着固定される。
【００１８】
以上によると、制御装置本体１の他側取付け壁面３に開口する第１空気孔９は第１スロットルボデーＴ１の一側壁面１７に開口する第１空気導入路１９に接続され、他側取付け壁面３に開口し、第１空気制御孔５が接続される第１連絡溝７には、第１スロットルボデーＴ１の一側壁面１７に開口する第１バイパス空気通路１８が接続される。
尚、第１連絡溝７と第１空気孔９とは第１シール部材１１によって連通が遮断される。
又、制御装置本体１の一側取付け壁面４に開口する第２空気孔１０は、第２スロットルボデーＴ２の他側壁面２６に開口する第２空気導入路２８に接続され、一側取付け壁面４に開口し、第２空気制御孔６が接続される第２連絡溝８には、第２スロットルボデーＴ２の他側壁面２６に開口する第２バイパス空気通路２７が接続される。
尚、第２連絡溝８と第２空気孔１０とは第２シール部材１２によってその連通が遮断される。
【００１９】
以上よりなる多連スロットルボデーにおけるアイドル空気制御装置によると、第１絞り弁１６より上流側の吸気通路１４ｂ内の空気は、第１空気導入路１７、第１空気孔９を介して弁体摺動孔２の下方に供給されるとともに第２絞り弁２５より上流側の吸気通路２３ｂ内の空気は、第２空気導入路２８、第２空気孔１０を介して弁体摺動孔２の下方に供給される。
ここで、弁体駆動機構１３によってプランジャー弁Ｖが動作され、弁体摺動孔２内に開口する第１、第２空気制御孔５、６の開口が制御されるもので、これによると、第１空気制御孔５によって制御されたアイドル空気は、第１連絡溝７、第１バイパス空気通路１８を介して第１絞り弁１６より下流側の吸気通路１４ａ内に供給され、一方、第２空気制御孔６によって制御されたアイドル空気は、第２連絡溝８、第２バイパス空気通路２７を介して第２絞り弁２５より下流側の吸気通路２３ａ内に供給されるもので、以上によって最適なるアイドル空気が機関に向けて供給される。
【００２０】
以上よりなるアイドル空気制御装置によると、アイドル空気制御装置Ｓが、隣設する第１スロットルボデーＴ１の一側壁面１７と第２スロットルボデーＴ２の他側壁面２６との間に挟持されて配置されたので、スロットルボデーＴ１、Ｔ２の対向面間の空間部を有効活用できたものでアイドル空気制御装置を含む多連スロットルボデーをコンパクトにまとめることができるとともにアイドル空気制御装置Ｓの外周部分をスロットルボデーＴ１、Ｔ２によってほぼ囲繞したので外観をスッキリとまとめることができ、更には通路、孔を連絡するパイプが一切不要となったことにより、特にスロットルボデーが大気に露出して配置され、収納空間が狭く限定される二輪車に用いて好適である。
又、隣設するスロットルボデーよりアイドル空気制御装置を取外すことにより、アイドル空気制御装置を形成する通路、孔のメンテナンス作業を容易に行なうことができ、そのメンテナンス性を大きく向上できる。
更に本アイドル空気制御装置Ｓは、スロットルボデーＴ１、Ｔ２の各壁面１７、２６に開口する第１、第２バイパス空気通路１８、２７の開口位置及び第１、第２空気導入路１９、２８の開口位置を合わせることにより艤装ちがいのスロットルボデー等多種類の多連スロットルボデーに対して共通して使用することができるもので、これによって製造コストの低減を達成できる。
又、第１スロットルボデーＴ１の一側壁面１７に、第１バイパス空気通路１８、第１空気導入路１９を開口したこと。第２スロットルボデーＴ２の他側壁面２６に第２バイパス空気通路２７、第２空気導入路２８を開口したこと。制御装置本体１の他側取付け壁面３に、第１空気制御孔５を含む第１連絡溝７、第１空気孔９を穿設するとともに一側取付け壁面４に第２空気制御孔６を含む第２連絡溝８、第２空気孔１０を穿設したこと。によると前記溝、通路、孔の距離を特に短く形成できたもので、これによると通路のレイアウトが容易で通路設計の自由度を大きく向上できるとともにその加工を極めて容易で且つ短時間で行なうことができる。
又、前記、溝、孔、通路を鋳抜き形成する際、それらが直線状に形成されることから容易に鋳抜き形成できる。
又、前記、溝、孔、通路にあってはプラグを用いた閉塞を必要としないので製造コストを低減する上で効果的であり、更にアイドル空気制御装置ＳをスロットルボデーＴ１、Ｔ２より取外した状態において、溝、孔、通路が袋孔とならずそれらが開口状態に配置されるので、それらのメンテナンスを確実に実施できる。
又、制御装置本体１の他側取付け壁面３に開口する第１空気孔９と、第１空気制御孔５が接続される第１連絡溝７の開口との間に第１シール部材１１が配置されたこと。及び一側取付け壁面４に開口する第２空気孔１０と第２空気制御孔６が接続される第２連絡溝８の開口との間に第２シール部材１２が配置されたことによると、第１、第２空気制御孔５、６によって制御されたアイドル空気を第１、第２連絡溝７、８を介して正確に第１、第２バイパス空気１８、２７に供給できる。
尚、前記第１、第２シール部材は、第１スロットルボデーＴ１の一側壁面１７及び第２スロットルボデーＴ２の他側壁面２６に配置してもよい。
更に又、第１、第２空気制御孔５、６の孔径（φ１）を第１、第２連絡溝７、８の溝幅Ｗより小さく形成したことによると、第１、第２空気制御孔５、６の孔径及び孔位置を第１、第２連絡溝７、８の溝幅Ｗの範囲において変更することができ、これによってアイドル空気の供給特性及びアイドル空気の供給開始点を自在に変更できる。
又、第１、第２バイパス空気通路１８、２７の孔径を第１、第２連絡溝７、８の溝幅Ｗより小さくすると、第１、第２バイパス空気通路１８、２７の一側壁面１７、他側壁面２６に対する開口位置を溝幅Ｗの範囲内において変更ができるもので、これによって多種類のスロットルボデーに対する適合性を向上できる。
尚、弁体摺動孔２の下方へ空気を導入する第１、第２空気孔９、１０及びそれに連なる第１、第２空気導入路１９は一方のみであってもよい。
又、アイドル空気制御装置ＳのスロットルボデーＴ１、Ｔ２に対する固定手段は実施例のものに限定されない。
【図面の簡単な説明】
【００２１】
【図１】本発明になるアイドル空気制御装置の一実施例を示す要部縦断面図。
【図２】図１の上部平面図。
【図３】図１のアイドル空気制御装置の左側面図。
【図４】図１のアイドル空気制御装置の右側面図。
【図５】多連スロットルボデーを構成する第１スロットルボデーの縦断面図。（図６のＣ−Ｃ線における縦断面図）
【図６】図５の右側面図。
【図７】多連スロットルボデーを構成する第２スロットルボデーの縦断面図。（図８のＤ−Ｄ線における縦断面図）
【図８】図７の左側面図。
【図９】本発明になる多連スロットルボデーにおけるアイドル空気制御装置の縦断面図。
【図１０】図９のＥ−Ｅ線における横断面図。
【符号の説明】
【００２２】
１      制御装置本体
２      弁体摺動孔
５      第１空気制御孔
６      第２空気制御孔
９      第１空気孔
１０    第２空気孔
１３    弁体駆動機構
１４ａ  第１絞り弁より下流側の吸気通路
１４ｂ  第１絞り弁より上流側の吸気通路
１６    第１絞り弁
１７    一側壁面
１９    第１空気導入路
２５    第２絞り弁
２６    他側壁面
２８    第２空気導入路
Ｔ１    第１スロットルボデー
Ｔ２    第２スロットルボデー
Ｓ      アイドル空気制御装置
Ｖ      プランジャー弁
【図１】
0004441471.tif 000002
【図２】
0004441471.tif 000003
【図３】
0004441471.tif 000004
【図４】
0004441471.tif 000005
【図５】
0004441471.tif 000006
【図６】
0004441471.tif 000007
【図７】
0004441471.tif 000008
【図８】
0004441471.tif 000009
【図９】
0004441471.tif 000010
【図１０】
0004441471.tif 000011